(57)【要約】  【課題】絨毯の被掃除面に附着した塵埃を除去することができ、フローリングや畳の拭き掃きも行うことができることから塵埃除去性能に優れ、且つロータの直径を大きくすることなく、清掃体がロータから抜けるのを防止することができる掃除機用床ノズル及び電気掃除機を提供する。【解決手段】回転ロータ１６は、ロータ４と、該ロータ４の外周の長手方向に形成された複数の挿入溝５の各々に装着された複数の清掃体１、２、３とからなり、該清掃体１、２、３の少なくとも一つは、ループ状に形成され、且つ該ループ状の清掃体１の両端部近傍の長手方向に抜け止め片１ｃが各々少なくとも片面に形成されてあり、該抜け止め片１ｃを、前記挿入溝５の１つの内部に形成され且つ、前記ロータ４の軸心からの距離が異なる第１溝部５ａと第２溝部５ｂとに各々嵌合した。【選択図】図２
2010035604.tif 000002
【特許請求の範囲】
【請求項１】
電動送風機を内蔵する電気掃除機本体に連通するように接続されると共に、塵埃を掻き上げる回転ロータを回転自在に収納した掃除機用床ノズルにおいて、前記回転ロータは、ロータと、該ロータの外周の長手方向に形成された複数の挿入溝の各々に装着された複数の清掃体とからなり、該清掃体の少なくとも一つは、ループ状に形成され、且つ該ループ状の清掃体の両端部近傍の長手方向に抜け止め片が各々少なくとも片面に形成されてあり、該抜け止め片を、前記挿入溝の１つの内部に形成され且つ、前記ロータの軸心からの距離が異なる第１溝部と第２溝部とに各々嵌合したことを特徴とする掃除機用床ノズル。
【請求項２】
ループ状の清掃体は、表側に起毛布が位置し、該起毛布が植毛された基部が裏側に位置することを特徴とする請求項１に記載の掃除機用床ノズル。
【請求項３】
抜け止め片は、清掃体の表側と裏側とに各々形成されていることを特徴とする請求項１又は２に記載の掃除機用床ノズル。
【請求項４】
ロータの外周の長手方向に形成された複数の挿入溝は、螺旋状に形成されてあることを特徴とする請求項１〜３のいずれか１項に記載の掃除機用床ノズル。
【請求項５】
吸引力を発生させる電動送風機と、塵埃を捕集する集塵室と、請求項１〜４のいずれか１項に記載の掃除機用床ノズルを備えた電気掃除機。
【発明の詳細な説明】
【技術分野】
【０００１】
本発明は、掃除機用床ノズル及び、それを用いた電気掃除機に関するものである。
【背景技術】
【０００２】
従来、この種の清掃装置の回転ロータとして、ロータと、このロータに一端が保持される清掃体と、この清掃体を覆うようにループ状部を形成する塵埃押出し体とで構成されたものがある（特許文献１）。また別の回転ロータは、ロータと、このロータの外周の長手方向に装着された複数の清掃体とからなり、この清掃体の一つをループ状の掻き上げムチ部が形成されたものがある（特許文献２）。
【０００３】
また、別の回転ロータは、ロータと、複数の清掃体とからなり、清掃体の一つがチャンネルブラシで構成され、清掃体は、ロータに形成された螺旋状の溝部に挿入されたものがある（特許文献３）。さらに、別の回転ロータとして、回転ロータを構成する清掃体が長尺の繊維束を蛇行状に折曲した所定幅の帯板状体の長手方向両縁部に紐状の取付用部材を縫い付けて構成し、この清掃体をその幅方向の中央付近で折り返して、両縁の取付用部材を各々ロータに設けられた外周に開口する複数条の支持溝に挿入固定することにより清掃体の自由端にループパイル部を形成したものがある（特許文献４）。
【特許文献１】特開２００７−１６３１１１号公報
【特許文献２】特開２００７−１４３７０号公報
【特許文献３】特開２００６−３２６２４９号公報
【特許文献４】特開２００２−５１７号公報
【発明の開示】
【発明が解決しようとする課題】
【０００４】
しかしながら、上記特許文献１に開示された回転ロータでは、ロータの一つの溝に、２つの清掃体の基部を挿入固定することができるものの、溝を大きくしなければならないことから、ロータの直径を大きくしなければならなかった。また、ロータからの清掃体の抜けを防止する対策が必要であった。また、特許文献２に開示された回転ロータでは、ループ状の掻き上げムチ部は絨毯のゴミを掻き上げる機能のみのものであり、フローリングや畳の拭き掃きには適さなかった。また、特許文献３に開示された回転ロータでは、清掃体の先端にループが形成されていない為、フローリングや畳の拭き掃きには適さず、清掃機能が限定されていた。一方、特許文献４に開示された回転ロータでは、フローリングや畳の拭き掃きには対応できるものの、絨毯に付着した塵埃を除去するのには適さなかった。
【０００５】
本発明は、上記従来の課題を解決するもので、絨毯の被掃除面に附着した塵埃を除去することができ、フローリングや畳の拭き掃きも行うことができることから塵埃除去性能に優れ、且つロータの直径を大きくすることなく、清掃体がロータから抜けるのを防止することができる掃除機用床ノズル及び電気掃除機を提供することを目的とする。
【課題を解決するための手段】
【０００６】
上記目的を達成するため、請求項１の発明は、電動送風機を内蔵する電気掃除機本体に連通するように接続されると共に、塵埃を掻き上げる回転ロータを回転自在に収納した掃除機用床ノズルにおいて、前記回転ロータは、ロータと、該ロータの外周の長手方向に形成された複数の挿入溝の各々に装着された複数の清掃体とからなり、該清掃体の少なくとも一つは、ループ状に形成され、且つ該ループ状の清掃体の両端部近傍の長手方向に抜け止め片が各々少なくとも片面に形成されてあり、該抜け止め片を、前記挿入溝の１つの内部に形成され且つ、前記ロータの軸心からの距離が異なる第１溝部と第２溝部とに各々嵌合したことに特徴を有する。したがって、清掃体の一つをループ状に形成することができるので、絨毯の被掃除面に附着した塵埃を除去することができ、且つ他の清掃体によって、フローリングや畳の拭き掃きも行うことができる。また、第１溝部と第２溝部とを、ロータの軸心からの距離が異なる位置に配置しているので、第１溝部と第２溝部との幅方向の距離を短くすることができる為、ロータの直径を小さくすることができると共に、ロータから清掃体が抜けるのを防止することができる。
【０００７】
また、請求項２の発明は、請求項１の発明において、ループ状の清掃体は、表側に起毛布が位置し、該起毛布が植毛された基部が裏側に位置することに特徴を有する。したがって、清掃体の製作が容易であると共に、起毛布によって、絨毯の被掃除面に附着した塵埃を確実に除去することができる。
【０００８】
また、請求項３の発明は、請求項１又は２の発明において、抜け止め片は、清掃体の表側と裏側とに各々形成されていることに特徴を有する。したがって、ロータの軸心に近い方の抜け止め片が溝の外側に引っ張られた場合に、もう一方の抜け止め片に当接するので、清掃体がロータから外れるのを防ぐことができる。
【０００９】
また、請求項４の発明は、請求項１〜３のいずれかの発明において、ロータの外周の長手方向に形成された複数の挿入溝は螺旋状に形成されてあることに特徴を有する。したがって、清掃体に付着した塵埃を螺旋の向きに従って一方向に集めることができ、この塵埃を掃除機の吸込み口から確実に回収することができる。
【００１０】
また、請求項５の発明は、吸引力を発生させる電動送風機と、塵埃を捕集する集塵室と、請求項１〜４のいずれか１項に記載の掃除機用床ノズルを備えた電気掃除機に特徴を有する。したがって、清掃体の一つをループ状に形成することができるので、絨毯の被掃除面に附着した塵埃を除去することができ、且つ他の清掃体によって、フローリングや畳の拭き掃きも行うことができる。また、第１溝部と第２溝部とを、ロータの軸心からの距離が異なる位置に配置しているので、ロータの直径を小さくすることができると共に、ロータから清掃体が抜けるのを防止することができる。さらに、清掃体の製作が容易であると共に、起毛布によって、絨毯の被掃除面に附着した塵埃を確実に除去することができ、清掃体に付着した塵埃を螺旋の向きに従って一方向に集めることができ、この塵埃を掃除機の吸込み口から確実に回収することができる床ノズルを備えた電気掃除機である。
【発明の効果】
【００１１】
請求項１の発明によって、絨毯の被掃除面に附着した塵埃を除去することができると共に、フローリングや畳の拭き掃きも行うことができるので、塵埃除去性能を向上させることができる。また、ロータからの清掃体の抜けを防止することができると共に、ロータの直径を小さくすることができる。また、請求項２の発明によって、清掃体の製作が容易であると共に、起毛布によって、絨毯の被掃除面に附着した塵埃を確実に除去することができる。また、請求項３の発明によって、清掃体がロータから外れるのを確実に防ぐことができる。また、請求項４の発明によって、清掃体に付着した塵埃を螺旋の向きに従って一方向に集めることができ、この塵埃を掃除機の吸込み口から確実に回収することができる。さらに、請求項５の発明によって、上記請求項１から請求項４の効果を奏することができる床ノズルを備えた電気掃除機を提供することができる。
【発明を実施するための最良の形態】
【００１２】
以下に、本発明における掃除機用床ノズルについて図を用いて説明する。図１は、本発明に係る掃除機用床ノズルの一部破断斜視図である。図１において、１０は、図示しない電気掃除機に連通接続される掃除機用床ノズルで、その外郭１１は、上ケース１２と、下面に吸い込み口１３を有する下ケース１４から構成されている。床ノズル１０の外周には、掃除の際に家具などへの傷付を防止するためのバンパー１５が設けられ、前部には、回転ロータ１６を回転自在に収納すると共に吸い込み口１３と連通する回転ロータ室１７が配されている。
【００１３】
また、床ノズル１０の後部には、延長管（図示せず）などを介して、電気掃除機（図示せず）に連通接続される接続管１８が傾動自在に取着されている。２０は、下ケース１４の底面の前部、後部にそれぞれ一対ずつ設けられた走行用ローラーで、床ノズル１０を、木床などの被掃除面に置いたとき、その被掃除面と下ケース１４の底面との間に所定の隙間を確保して、電気掃除機による吸引力で、床ノズル１０の底部が被掃除面に密着して操作性が悪くなることの無いようにするものである。
【００１４】
２１は、床ノズル１０の略中央でかつ回転ロータ１６の後方に位置し、回転ロータ室１７と接続管１８とを連通する吸引口である。２２は、ベルト２３を介して回転ロータ１６を回転駆動する駆動手段となる電動機である。
【００１５】
図２は、本発明の床ノズルに使用される回転ロータ１６の断面図である。図２に示すように、回転ロータ１６を構成するロータ４には、清掃体１、３やブレード２が挿入される溝部が６箇所に形成されている。その中の４箇所に形成された溝部には、清掃体３やブレード２の基部が挿入される抜け止め部がロータの軸心からの距離が等距離となるように左右に形成されており、フローリングや畳において、拭き掃き効果を奏することができる清掃体３やブレード２が挿入固定される。一方、他の２箇所に形成された溝部５には、ロータ４の軸心からの距離が異なる第１溝部５ａと第２溝部５ｂとが形成されている。
【００１６】
そして、清掃体１は、ループ状に形成されており、このループ状の清掃体１の両端部近傍の長手方向に抜け止め片１ｃが両面に形成されてある。この抜け止め片１ｃが、挿入溝５の内部に形成され且つ、ロータ４の軸心からの距離が異なる第１溝部５ａと第２溝部５ｂとに各々嵌合される構成となっている。したがって、ロータ４の軸心に近い第１溝部５ａの抜け止め片１ｃが溝５の外側に引っ張られた場合に、もう一方の第２溝部５ｂの抜け止め片１ｃに当接するので、清掃体１がロータ４から外れるのを確実に防ぐことができるのである。
【００１７】
図３は、本発明の床ノズルに使用されるロータ４の斜視図である。このロータ４は、前述したように、清掃体１、２、３が挿入される溝部が６箇所に形成されており、その中の４箇所に形成された溝部には、清掃体３やブレード２の基部が挿入される抜け止め部がロータの軸心からの距離が等距離となるように左右に形成されている。そして、他の２箇所に形成された溝部５には、ロータ４の軸心からの距離が異なる第１溝部５ａと第２溝部５ｂとが形成されている。さらに、溝部５は所定の角度で螺旋状に捻られて、螺旋状部４ａが形成されている。
【００１８】
図４は、本発明の床ノズルに使用されるループ状の清掃体１を平面に置いた状態を示す斜視図である。この図に示すように、清掃体１は、基部１ａの上に起毛布１ｂが植毛されており、基部１ａの両端部近傍の表側及び裏側には各々、抜け止め片１ｃが固定されている。そして、図２で示したように、ループ状の清掃体１の形状とする場合には、起毛布１ｂが植毛されている面が表側に位置するようにループが形成されるのである。
【００１９】
図５は、本発明の床ノズルに使用される他の回転ロータ１６の断面図である。図５に示す回転ロータ１６は、ループ状の清掃体１の両端部近傍の長手方向に抜け止め片１ｃが片面に形成されてある。この抜け止め片１ｃが、挿入溝５の内部に形成され且つ、ロータ４の軸心からの距離が異なる第１溝部５ａと第２溝部５ｂとに各々嵌合される構成となっている。
【００２０】
図６は、抜け止め片１ｃ近傍に位置決め片６、６ａ、６ｂを設置した実施形態を示す説明図である。図６（ａ）では、第１溝部５ａに嵌合する抜け止め片１ｃが固定された基部１ａの反対側に、断面四角状の位置決め片６が固定されている。このように、構成することによって、位置決め片６の上部に第２溝部５ｂに嵌合する抜け止め片１ｃが当接して位置決めがなされる。図６（ｂ）も同様に、第１溝部５ａに嵌合する抜け止め片１ｃが固定された基部１ａの反対側に、断面半円状の位置決め片６ａが固定されている。このように、構成することによって、位置決め片６ａの上部に第２溝部５ｂに嵌合する抜け止め片１ｃが当接して位置決めがなされる。同様にして、図６（ｃ）に示すように、第１溝部５ａに嵌合する抜け止め片１ｃが固定された基部１ａの反対側に位置決め片６ｂが固定され、この位置決め片６ｂが、他方の抜け止め片１ｄの一部と嵌合する実施形態を採用することもできる。これらの構成をとることによって、ループ状の清掃体１をロータ４の第１溝部５ａと第２溝部５ｂとに各々嵌合される前の段階で、位置決めを行うことができるので、回転ロータ１６の製造作業を簡易に行うことができる。
【００２１】
図７は、本発明の電気掃除機の全体構成を示す図である。図７において、本実施例における電気掃除機４０は、前部に塵埃を捕集する集塵室４１と、後部に電動送風機４２を内蔵した電動送風機室４３をそれぞれ備えた掃除機本体４４と、前記集塵室４１に連通するように一端が掃除機本体４４に接続されるホース４５と、ホース４５の他端に設けられたハンドルパイプ４６に一端が着脱自在に接続される延長管４７とを備え、前記延長管４７の他端に、上記第１の実施例で述べた床吸込具１０が接続されている。ハンドルパイプ４６には、掃除機本体４４の運転を操作する本体スイッチ４６ａと、床吸込具１０に内蔵された電動機２２の運転を操作する吸込具スイッチ４６ｂが設けられている。
【００２２】
上記のように構成された電気掃除機の動作、作用は、以下の通りである。掃除機本体４４内に収納された電源コード（図示せず）を引き出し、そのプラグ（図示せず）を室内のコンセント（図示せず）に差し込んで、ハンドルパイプ４６に設けた本体スイッチ４６ａ、吸込具スイッチ４６ｂを操作すると、電動送風機４２及び床吸込具１０内の電動機２２の運転が開始し、それに伴い、吸込具１０の底部に設けた吸い込み口１３から、回転する回転ロータ１６の清掃体１、２、３で掻き上げられた被掃除面上の塵埃が、外気と共に吸引され、延長管４７、ハンドルパイプ４６、ホース４５を経て集塵室４１に至り、そこで吸引風に含まれた塵埃が捕集され、きれいになった空気は、掃除機本体４４の後部に設けた排気口（図示せず）から排気される。
【産業上の利用可能性】
【００２３】
以上のように、本発明に係る掃除機用床ノズルは、塵埃の除去性能に非常に優れているもので、電気掃除機に限らず、回転部材を用いて塵埃や他の目的物を収集または回収する各種機器に適用できる。
【図面の簡単な説明】
【００２４】
【図１】本発明に係る掃除機用床ノズルの一部破断斜視図。
【図２】本発明の床ノズルに使用される回転ロータの断面図。
【図３】本発明の床ノズルに使用されるロータの斜視図。
【図４】ループ状の清掃体を平面に置いた状態を示す斜視図。
【図５】本発明の床ノズルに使用される他の回転ロータの断面図。
【図６】抜け止め片の近傍に位置決め片を設置した実施形態を示す説明図。
【図７】本発明の電気掃除機の全体構成を示す図。
【符号の説明】
【００２５】
１  ループ状の清掃体
１ａ  基部
１ｂ  起毛布
１ｃ、１ｄ  抜け止め片
２  ブレード
３  清掃体
４  ロータ
４ａ  螺旋状部
５  挿入溝
５ａ  第１溝部
５ｂ  第２溝部
６、６ａ、６ｂ  位置決め片
【図１】
2010035604.tif 000003
【図２】
2010035604.tif 000004
【図３】
2010035604.tif 000005
【図４】
2010035604.tif 000006
【図５】
2010035604.tif 000007
【図６】
2010035604.tif 000008
【図７】
2010035604.tif 000009